(57)【特許請求の範囲】
【請求項１】
通気性を有する被覆体の上方部を後方に折り返してその左右側端を接着して形成された上頭保持部と、
上記被覆体の下方部を後方に折り返してその左右側端を接着して形成された顎保持部とを備えること
を特徴とする顔面被覆具。
【請求項２】
上記被覆体の上端が、折り返された上記被覆体の下端よりも上方に位置するように折り返されてなること
を特徴とする請求項１記載の顔面被覆具。
【請求項３】
上記被覆体の上端が、折り返された上記被覆体の下端と略同一位置となるように折り返されてなること
を特徴とする請求項１記載の顔面被覆具。
【請求項４】
上記被覆体の上端が、折り返された上記被覆体の下端よりも下方となるように折り返されてなり、
上記上頭保持部における上記顎保持部と重複する部位の左右側端が、当該顎保持部の左右側端の上から接着されてなること
を特徴とする請求項１記載の顔面被覆具。
【請求項５】
上記被覆体の下端が、折り返された上記被覆体の上端よりも上方となるように折り返されてなり、
上記顎保持部における上記上頭保持部と重複する部位の左右側端が当該上頭保持部の左右側端の上から接着されてなること
を特徴とする請求項１記載の顔面被覆具。
【請求項６】
通気性を有する被覆体の裏面の左右上端に上頭保持体を接着して形成された上頭保持部と、
上記被覆体の裏面の左右下端に顎保持体を接着して形成された顎保持部とを備えること
を特徴とする顔面被覆具。
【請求項７】
上記上頭保持体の下端が、上記顎保持体の上端よりも上方に位置するように形成されてなること
を特徴とする請求項６記載の顔面被覆具。
【請求項８】
上記上頭保持体の下端が、上記顎保持体の上端と略同一位置となるように形成されてなること
を特徴とする請求項６記載の顔面被覆具。
【請求項９】
上記上頭保持体の下端が、上記顎保持体の上端よりも下方となるように形成され、
上記上頭保持部における上記顎保持部と重複する部位の上記上頭保持体の左右側端が、当該重複する部位の上記顎保持体の左右側端の上から接着されてなること
を特徴とする請求項６記載の顔面被覆具。
【請求項１０】
上記顎保持体の上端が、上記上頭保持体の下端よりも上方となるように形成され、
上記顎保持部における上記上頭保持部と重複する部位の上記顎保持体の左右側端が、当該重複する部位の上記上頭保持体の左右側端の上から接着されてなること
を特徴とする請求項６記載の顔面被覆具。
【請求項１１】
通気性を有する被覆体を折り返して端部を接着することにより形成された収容袋体に対して開口が形成され、
上記開口は、当該開口を介して挿入した上頭を収容する上頭保持部と、当該開口を介して挿入した顎部を収容する顎保持部とが形成されるように、上頭保持部と上記顎保持部との間に形成されてなること
を特徴とする顔面被覆具。
【請求項１２】
上記開口は、その長手方向が左右方向又は上下方向とされていること
を特徴とする請求項１１記載の顔面被覆具。
【発明の詳細な説明】
【技術分野】
【０００１】
本発明は、衣服を購入する際の試着時において、試着者の顔面の化粧が試着した衣服に付着するのを防止する上で好適な顔面被覆具に関する。
【背景技術】
【０００２】
例えば、衣料品店において衣服を購入する際、着用している衣服を脱ぎ、そして、購入しようとする衣服を試着する場合がある。このような試着時において、試着者が特に化粧している女性の場合、試着した衣服に顔面が接触し、当該衣服に化粧が付着してしまう場合がある。その結果、試着者の顔面の化粧が乱されるのみならず、化粧が付着した試着用の衣服は、販売できなくなり、不良品となってしまう。
【０００３】
このため、従来では、衣服を着脱する際にはスカーフにて頭部を被蔽し、該スカーフの対向する両隅部を結縛することを試着者に促すしかなかった。
【０００４】
しかしながら、スカーフによっては顔面を十分に被蔽することができず、スカーフの対向する隅部を引張して結縛すれば、頭髪が該スカーフによって押圧されて該頭髪が乱れてしまう場合もあった。このため、従来においては、例えば特許文献１〜３に開示されているような顔面被蔽具が提案されていた。
【先行技術文献】
【特許文献】
【０００５】
【特許文献１】特開２０００−１２５９３４号公報
【特許文献２】特開２０００−２０１７３２号公報
【特許文献３】特開２０００−２０１７３３号公報
【発明の概要】
【発明が解決しようとする課題】
【０００６】
しかしながら、特許文献１の開示技術では、試着の都度、紐状片による結着作業を余儀なく行わなければならず、特に頭部からかぶりながら試着しなければならない衣服の場合、これを脱ぐ際には、顔面被蔽具も共に脱離してしまい、化粧の衣服への付着を完全に防止することができないという問題点があった。
【０００７】
また、特許文献２の開示技術に示すように、接合片を顔面被蔽具に付設することにより、特に頭部からかぶりながら試着しなければならない衣服を脱ぐ際にも、これを安定して保持することができる。しかしながら、この特許文献２の開示技術では、接合片の着脱を試着者に促さなければならず、しかも接合片を顔面被蔽具に付設するための労力の負担の増大や、材料コストの増大を免れることができないという問題点があった。
【０００８】
更に、特許文献３の開示技術では、伸縮性ゴムを左右に設け、これを耳に係止させることにより、試着時における顔面被蔽具の脱離防止を図る構成としている。しかしながら、この特許文献３の開示技術では、伸縮性ゴムの係止を試着者に促さなければならず、しかも接合片を顔面被蔽具に付設するための労力の負担の増大や、材料コストの増大を免れることができないという問題点があった。
【０００９】
そこで、本発明は、上述した問題点に鑑みて案出されたものであり、その目的とするところは、試着者の顔面の化粧が試着した衣服に付着するのを防止する顔面被覆具において、特に頭部からかぶりながら試着しなければならない衣服を脱ぐ際にも、これを安定して保持することができ、しかも試着者にとって着脱が容易で、製造労力や製造コストを軽減可能な顔面被覆具を提供することにある。
【課題を解決するための手段】
【００１０】
本願請求項１に係る顔面被覆具は、通気性を有する被覆体の上方部を後方に折り返してその左右側端を接着して形成された上頭保持部と、上記被覆体の下方部を後方に折り返してその左右側端を接着して形成された顎保持部とを備えることを特徴とする。
【００１１】
本願請求項２に係る顔面被覆具は、請求項１記載の発明において、上記被覆体の上端が、折り返された上記被覆体の下端よりも上方に位置するように折り返されてなることを特徴とする。
【００１２】
本願請求項３に係る顔面被覆具は、請求項１記載の発明において、上記被覆体の上端が、折り返された上記被覆体の下端と略同一位置となるように折り返されてなることを特徴とする。
【００１３】
本願請求項４に係る顔面被覆具は、請求項１記載の発明において、上記被覆体の上端が、折り返された上記被覆体の下端よりも下方となるように折り返されてなり、上記上頭保持部における上記顎保持部と重複する部位の左右側端が、当該顎保持部の左右側端の上から接着されてなることを特徴とする。
【００１４】
本願請求項５に係る顔面被覆具は、請求項１記載の発明において、上記被覆体の下端が、折り返された上記被覆体の上端よりも上方となるように折り返されてなり、上記顎保持部における上記上頭保持部と重複する部位の左右側端が当該上頭保持部の左右側端の上から接着されてなることを特徴とする。
【００１５】
本願請求項６に係る顔面被覆具は、通気性を有する被覆体の裏面の左右上端に上頭保持体を接着して形成された上頭保持部と、上記被覆体の裏面の左右下端に顎保持体を接着して形成された顎保持部とを備えることを特徴とする。
【００１６】
本願請求項７に係る顔面被覆具は、請求項６記載の発明において、上記上頭保持体の下端が、上記顎保持体の上端よりも上方に位置するように形成されてなることを特徴とする。
【００１７】
本願請求項８に係る顔面被覆具は、請求項６記載の発明において、上記上頭保持体の下端が、上記顎保持体の上端と略同一位置となるように形成されてなることを特徴とする。
【００１８】
本願請求項９に係る顔面被覆具は、請求項６記載の発明において、上記上頭保持体の下端が、上記顎保持体の上端よりも下方となるように形成され、上記上頭保持部における上記顎保持部と重複する部位の上記上頭保持体の左右側端が、当該重複する部位の上記顎保持体の左右側端の上から接着されてなることを特徴とする。
【００１９】
本願請求項１０に係る顔面被覆具は、上記顎保持体の上端が、上記上頭保持体の下端よりも上方となるように形成され、上記顎保持部における上記上頭保持部と重複する部位の上記顎保持体の左右側端が、当該重複する部位の上記上頭保持体の左右側端の上から接着されてなることを特徴とする。
【００２０】
本願請求項１１に係る顔面被覆具は、通気性を有する被覆体を折り返して端部を接着することにより形成された収容袋体に対して開口が形成され、上記開口は、当該開口を介して挿入した上頭を収容する上頭保持部と、当該開口を介して挿入した顎部を収容する顎保持部とが形成されるように、上頭保持部と上記顎保持部との間に形成されてなることを特徴とする。
【００２１】
本願請求項１２に係る顔面被覆具は、請求項１１記載の発明において、上記開口は、その長手方向が左右方向又は上下方向とされていることを特徴とする。
【発明の効果】
【００２２】
上述した構成からなる本発明によれば、顔面が外部から遮蔽されることから、試着者の顔面の化粧が、試着した衣服に付着するのを防止することができるのは勿論のこと、特に頭部からかぶりながら試着しなければならない衣服を脱ぐ際にも、試着者の顎部は、顎保持部により保持されることから、当該顔面被覆具が一緒に離脱してしまうのを防止することができ、安定した保持を実現することが可能となる。
【００２３】
また、本発明を適用した顔面被覆具によれば、単に試着者は自らの上頭を開口を介して挿入させ、顔面被覆具の下端を手で把持してこれを顎部へと引き寄せて係止させるのみで極めて簡単に装着することが可能となる。即ち、顔面被覆具は、極めて簡易な動作で着けることが可能となる。
【００２４】
また、本発明によれば、被覆体を単に折り返して接着するのみで作製することが可能となり、従来技術の如き接合片や伸縮性ゴム等といった部材を別途取り付ける必要も無く、製造労力の負担を軽減でき、ひいては顔面被覆具の製造コスト低減を図ることも可能となる。
【図面の簡単な説明】
【００２５】
【図１】本発明を適用した顔面被覆具の平面図である。
【図２】本発明を適用した顔面被覆具の作製方法について説明するための図である。
【図３】被覆体の上端が、折り返された被覆体の下端と略同一位置となるように折り返された状態を示す図である。
【図４】被覆体の上端が、折り返された被覆体の下端よりも下方となるように折り返された状態を示す図である。
【図５】被覆体の下端が、折り返された被覆体の上端よりも上方となるように折り返された状態を示す図である。
【図６】本発明を適用した顔面被覆具を実際に試着者に対して装着した例を示す図である。
【図７】開口の長手方向が左右方向とされている例を示す図である。
【図８】開口の長手方向が上下方向とされている例を示す図である。
【図９】本発明を適用した顔面被覆具の他の例を示す平面図である。
【発明を実施するための形態】
【００２６】
以下、本発明を適用した顔面被覆具の実施の形態について詳細に説明する。
【００２７】
図１は、本発明を適用した顔面被覆具１の構成を示している。この顔面被覆具１は、断面略長方形状の被覆体１０を折り返して側端部１０ｃ、１０ｄ、１０ｅ、１０ｆを接着することにより形成された収容袋体に対して開口２が形成された構成とされている。
【００２８】
被覆体１０は、変形容易な材料で構成されていればいかなるものであってもよいが、試着者がかぶるものであることから、少なくとも通気性を有するものであることが望ましい。実際に通気性を有する材料としては、例えば不織布、ガーゼ、麻等のあらゆる種類の布で構成されていてもよい。また、被覆体１０は、紙で構成されていてもよい。を用いてもよいし、紙に通気性を持たせるために多数の空気孔を形成させるようにしてもよい。
【００２９】
この顔面被覆具１は、開口２を介して挿入した上頭を収容する上頭保持部１１と、当該開口２を介して挿入した顎部を収容する顎保持部１２が更に形成されている。
【００３０】
この上頭保持部１１は、少なくとも試着者の頭部を収容できる程度の深さ、幅からなる袋状で構成されている。また顎保持部１２は、少なくとも試着者の顎部を収容できる程度の深さ、幅からなる袋状で構成されている。
【００３１】
以下、本発明を適用した顔面被覆具１の作製方法について説明をする。
【００３２】
先ず、図２(a)に示すように、一枚の断面略長方形状の被覆体１０を準備する。次にこの被覆体１０の上方部１０ａを図２(b)に示すように後方に折り返す。同様に被覆体の下方部１０ｂを図２(b)に示すように後方に折り返す。この折り返しにおける折り目は、例えば図２(a)中の点線を介して行うようにしてもよい。次にこの折り返した上方部１０ａの左側端１０ｃ並びに右側端１０ｄを接着することにより上頭保持部１１を形成させる。同様にこの折り返した下方部１０ｂの左側端１０ｅ並びに右側端１０ｆを接着することにより顎保持部１２を形成させる。ちなみに、この接着は、例えば熱による圧着で行うようにしてもよいし、接着剤を介して取り付けるようにしてもよい。また、この接着は、糸を介した縫製により実現するようにしてもよい。即ち、この接着は、互いに接着すべき箇所について接触させた状態で取り付けられているものであれば、いかなる手段を介して行うようにしてもよい。
【００３３】
このようにして作製された顔面被覆具１は、例えば図１、２に示すように、被覆体１０の上端１０ｇが、折り返された被覆体１０の下端１０ｈよりも上方に位置するように折り返されてなる形としてもよいし、図３に示すように被覆体１０の上端１０ｇが、折り返された被覆体１０の下端１０ｈと略同一位置となるように折り返されてなるようにしてもよい。更に、図４に示すように、被覆体１０の上端１０ｇが、折り返された被覆体１０の下端１０ｈよりも下方となるように折り返されていてもよい。この上頭保持部１１は、顎保持部１２の上に被さるようにして構成されている。かかる場合には、上頭保持部１１における顎保持部１２と重複する部位３１の左側端１０ｃ、右側端１０ｄが、当該顎保持部１２の左側端１０ｃ並びに右側端１０ｄの上から接着されることになる。また図５に示すように、被覆体１０の下端１０ｈが、折り返された被覆体１０の上端１０ｇよりも上方となるように折り返されていてもよい。この顎保持部１２は、上頭保持部１１の上に被さるようにして構成されている。かかる場合には、顎保持部１２における上頭保持部１１と重複する部位３１の左側端１０ｅ´、右側端１０ｆ´が、上頭保持部１１の左側端１０ｃ、右側端１０ｄの上から接着されることになる。
【００３４】
なお本発明では、断面略長方形状の被覆体１０を用いることは必須ではなく、上頭保持部１１並びに顎保持部１２の角部分が丸みを帯びるように形成されるものであってもよい。
【００３５】
図６(a),(b)は、本発明を適用した顔面被覆具１を実際に試着者に対して装着した例を示している。顔面被覆具１を装着する際には、試着者は自らの上頭４１を開口２を介して挿入させることにより、当該上頭４１から先にかぶることになる。そのとき開口２から挿入させた上頭４１は、上述した上頭保持部１１に収容されることになる。
【００３６】
次に試着者は、顔面被覆具１の下端を手で把持し、自らの顎部４２にこの顎保持部１２に係止させ、顎部４２を顎保持部１２に収容させる。その結果、図６に示すように試着者の上頭４１は、上頭保持部１１により保持され、試着者の顎部４２は、顎保持部１２により保持されることになる。
【００３７】
その結果、この顔面被覆具１により顔面が外部から遮蔽されることから、試着者の顔面の化粧が、試着した衣服に付着するのを防止することができるのは勿論のこと、特に頭部からかぶりながら試着しなければならない衣服を脱ぐ際にも、試着者の顎部４２は、顎保持部１２により保持されることから、顔面被覆具１が一緒に離脱してしまうのを防止することができ、安定した保持を実現することが可能となる。
【００３８】
また、本発明を適用した顔面被覆具１によれば、単に試着者は自らの上頭４１を開口を介して挿入させ、顔面被覆具１の下端を手で把持してこれを顎部へと引き寄せて係止させるのみで極めて簡単に装着することが可能となる。即ち、顔面被覆具１は、極めて簡易な動作で着けることが可能となる。
【００３９】
また、本発明によれば、被覆体１０を単に折り返して接着するのみで作製することが可能となり、従来技術の如き接合片や伸縮性ゴム等といった部材を別途取り付ける必要も無く、製造労力の負担を軽減でき、ひいては顔面被覆具１の製造コスト低減を図ることも可能となる。
【００４０】
なお、本発明は、上述した実施の形態に限定されるものではない。例えば図７、８に示すように通気性を有する断面略長方形状の被覆体を折り返して端部を接着することにより形成された収容袋体５に対して開口２が形成され、開口２は、当該開口２を介して挿入した上頭を収容する上頭保持部１１と、当該開口２を介して挿入した顎部を収容する顎保持部１２とが形成されるように、上頭保持部１１と顎保持部１２との間に形成されてなるものであればいかなる形態で具体化されるものであってもよい。
【００４１】
収容袋体５は、中空の袋体が形成されるものであれば如何なる折り返し、並びに如何なる箇所の接着を通じて構成されていてもよい。
【００４２】
図７の例では、開口２の長手方向が左右方向とされている例である。この開口２は、図７(a)に示すように、直線状の穴で構成されていてもよいし、図７(b)に示すように上下に拡径された穴で構成されていてもよい。
【００４３】
図８の例では、開口２の長手方向が上下方向とされている例である。この開口２は、図８(a)に示すように、直線状の穴で構成されていてもよいし、図８(b)に示すように左右に拡径された穴で構成されていてもよい。
【００４４】
このような構成においても上述と同様の効果を奏することは勿論である。
【００４５】
また本発明は、被覆体１０の上下端を折り返すことにより、上頭保持部１１並びに顎保持部１２を形成する場合に限定されるものではない。例えば、図９に示すように、被覆体１０の裏面の左側端１０ｃ、右側端１０ｄ、上端１０ｉに上頭保持体５１を接着することにより上頭保持部１１を形成するようにし、被覆体１０の裏面の左側端１０ｅ、右側端１０ｆ、下端１０ｊに顎保持体５２を接着することにより顎保持部１２を形成するようにしてもよい。
【００４６】
このとき、上頭保持体５１の下端５１ａが、顎保持体５２の上端５２ａよりも上方に位置するように形成されてなるようにしてもよいし、上頭保持体５１の下端５１ａが、顎保持体５２の上端５２ａと略同一位置となるように形成されてなるようにしてもよい。
【００４７】
上頭保持体５１の下端５１ａが、顎保持体５２の上端５２ａよりも下方となるように形成され、上頭保持部１１における顎保持部１２と重複する部位の上頭保持体５１の左右側端１０ｃ、１０ｄが、当該重複する部位の顎保持体５２の左右側端１０ｅ、１０ｆの上から接着されてなるようにしてもよい。
【００４８】
顎保持体５２の上端５２ａが、上頭保持体５１の下端５１ａよりも上方となるように形成され、顎保持部１２における上頭保持部１１と重複する部位の顎保持体５２の左右側端１０ｅ、１０ｆが、当該重複する部位の上頭保持体５１の左右側端１０ｃ、１０ｄの上から接着されてなるようにしてもよい。
【００４９】
このような構成においても上述と同様の効果を奏することは勿論である。
【符号の説明】
【００５０】
１  顔面被覆具
２  開口
５  収容袋体
１０  被覆体
１１  上頭保持部
１２  顎保持部
５１  上頭保持体
５２  顎保持体
【図１】
0005436950.tif 000002
【図２】
0005436950.tif 000003
【図３】
0005436950.tif 000004
【図４】
0005436950.tif 000005
【図５】
0005436950.tif 000006
【図６】
0005436950.tif 000007
【図７】
0005436950.tif 000008
【図８】
0005436950.tif 000009
【図９】
0005436950.tif 000010